(57)【要約】      （修正有）【課題】低コストで、及び／又は、恒温水供給用のポンプを使用しなくても、水温を保持することができ、及び／又は、養殖生物の健康・成長を増進できる養殖水槽を提供する。【解決手段】本発明は、養殖水槽１０であって、前記養殖水槽１０を上層１０ａと下層１０ｂに分離する断熱隔壁３０と、前記上層１０ａと前記下層１０ｂを連絡する通路１７を有することを特徴とする養殖水槽１０とした。他の態様では、養殖水槽１０は、前記養殖水槽１０の水面下に設置された断熱隔壁３０と、前記断熱隔壁３０の上層１０ａと下層１０ｂを連絡する通路１７を有する。【選択図】図１
2018085945.tif 000002
【特許請求の範囲】
【請求項１】
養殖水槽であって、前記養殖水槽を上層と下層に分離する断熱隔壁と、前記上層と前記下層を連絡する通路を有することを特徴とする養殖水槽。
【請求項２】
養殖水層であって、前記養殖水槽の水面下に設置された断熱隔壁と、前記断熱隔壁の上層と下層を連絡する通路を有することを特徴とする養殖水槽。
【請求項３】
地熱によって前記下層の水温を維持するようにしたことを特徴とする請求項１又は２に記載の養殖水槽。
【請求項４】
前記通路の下に回収溝を設けたことを特徴とする請求項１〜３のいずれかに記載の養殖水槽。
【請求項５】
前記通路を前記養殖水槽の縁に沿って設けたことを特徴とする請求項４に記載の養殖水槽。
【請求項６】
前記底面に、前記回収溝に向けて下降する傾斜を設けたことを特徴とする請求項４又は５に記載の養殖水槽。
【発明の詳細な説明】
【技術分野】
【０００１】
本発明は、魚類等の養殖に使用される養殖水槽に関する。
【背景技術】
【０００２】
魚類等の養殖では、水温管理が重要であり、水温が高すぎても、低すぎても養殖生物の成長が悪くなり、及び／又は、健康状態が悪化する。特許文献１は、地熱で水温を一定にした恒温水槽６から恒温水をポンプ７で養殖水槽９に供給する方式を開示する。
【先行技術文献】
【特許文献】
【０００３】
【特許文献１】特開２０１６−０２１９１９号公報
【発明の概要】
【発明が解決しようとする課題】
【０００４】
特許文献１では、恒温水を循環させるポンプや配管が必要なため、設備コストが増加する。大型の養殖水槽では大型のポンプが必要なので、コストは一層増加する。特許文献１では、恒温水の水温を一定に保つため、恒温水槽は、１０〜２０ｍの水深が必要である。
【０００５】
本発明は、低コストで、及び／又は、恒温水供給用のポンプを使用しなくても、水温を保持することができ、及び／又は、養殖生物の健康・成長を増進できる養殖水槽を提供することを目的とする。
【課題を解決するための手段】
【０００６】
本願は、下記発明を開示する。
＜構成１＞
養殖水槽であって、前記養殖水槽を上層と下層に分離する断熱隔壁と、前記上層と前記下層を連絡する通路を有することを特徴とする養殖水槽。
＜構成２＞
養殖水層であって、前記養殖水槽の水面下に設置された断熱隔壁と、前記断熱隔壁の上層と下層を連絡する通路を有することを特徴とする養殖水槽。
＜構成３＞
地熱によって前記下層の水温を維持するようにしたことを特徴とする構成１又は２に記載の養殖水槽。
＜構成４＞
前記通路の下に回収溝を設けたことを特徴とする構成１〜３のいずれかに記載の養殖水槽。
＜構成５＞
前記通路を前記養殖水槽の縁に沿って設けたことを特徴とする構成４に記載の養殖水槽。
＜構成６＞
前記底面に、前記回収溝に向けて下降する傾斜を設けたことを特徴とする構成４又は５に記載の養殖水槽。
【図面の簡単な説明】
【０００７】
【図１】図１（ａ）は、養殖水槽１０を示す。図１（ｂ）は、図１（ａ）のＸ−Ｘ断面図を示す。図１（ｃ）は、図１（ａ）のＹ−Ｙ断面図を示す。
【発明を実施するための形態】
【０００８】
図１に示すように、養殖水槽１０は、地面Ｇに掘った穴１１に設けた水槽（地中埋設型水槽）である。養殖水槽１０は、穴１１を覆う水槽壁２０と、養殖水槽１０を下層１０ａと上層１０ｂの２層に分離する断熱隔壁３０を有する。長方形の養殖水槽１０を示すが、他の形状でもよい。
【０００９】
水槽壁２０には、遮水塗料を塗布したコンクリート、ＦＲＰ等の遮水構造材、ポリエチレンやポリウレタン等の高分子遮水シート等を使用できる。
【００１０】
養殖水槽１０は、上端２１と底面２２を有する。底面２２に、回収溝１２と、回収溝１２に向けて下降する傾斜１３を設けるとよい。回収溝１２に排水口１４を設け、その反対側に給水口１５を設けるとよい。
【００１１】
断熱隔壁３０には、ＥＰＳやウレタンフォーム等の断熱性の板材を使用できる。断熱隔壁３０は、１枚の板材で構成しても良く、複数枚の板材を並べてもよい。断熱隔壁３０は、上端２１と底面２２の中間当たりの高さ、又は、水面２３より下に設置するとよい。断熱隔壁３０により、養殖水槽１０の水が下層１０ａと上層１０ｂの２層に分離される。断熱隔壁３０の取り付け方法は任意である。図の例では、断熱隔壁３０は、側端が水槽壁２０の側面の保持溝１６に差し込み固定されている。
【００１２】
養殖生物（魚等）が下層１０ａと上層１０ｂの間を行き来できるように、下層１０ａと上層１０ｂを連絡する通路１７を設けるとよい。通路１７は、断熱隔壁３０の無い部分とすることができる。通路１７は、１個所でも複数個所でも良い。通路１７は、養殖水槽１０の縁（好ましくは、短辺）に沿って設けると、通路１７を餌遣り場として使用するのに便利である。回収溝１２は、通路１７の下に設けるのが良い。
【００１３】
養殖水槽１０では、断熱隔壁３０があるため、地中の熱により、下層１０ａの水が１年を通して、及び／又は、外気温によらず、一定の水温（例えば、１３〜１６℃）に保たれる。よって、冬場や夏場等で水温が低下又は上昇したときは、養殖生物が下層１０ａで過ごすことができ、健康及び／又は食欲を維持・増進し、及び／又は、成長を促進できる。養殖生物は、適宜の時間帯を上層１０ｂで過ごすこともできるので、日照を確保できる。例えば、冬の夜に上層１０ｂの水温が低下しても、養殖生物は下層１０ａで過ごすことができる。昼は上層１０ｂの水温が上昇する（例えば、２０℃程度）ので、日照のある上層１０ｂで過ごすことができる。恒温水循環用のポンプは不要であり、特許文献１のような深い水深も不要なので、設備コストを軽減できる。
【００１４】
通路１７で餌遣りすれば、食べ残しの大半が回収溝１２に溜まる。傾斜１３の食べ残しや糞等は、傾斜１３に従って回収溝１２に集まってくる。回収溝１２の食べ残しや糞等は、バキューム１８等で吸い出せば良い。排水口１４から水抜きすれば、傾斜１３や水流で養殖生物を回収溝１２付近に集めて回収できる。排水口１４から水抜きし、給水口１５から水を流すことで底面２２を掃除できる。
【００１５】
上記実施形態に記載した養殖水槽の構成要素やその寸法、形状、配置、個数、材料等は、例示であり、他の態様も可能である。
【産業上の利用可能性】
【００１６】
本発明の養殖水槽は、魚類、甲殻類等各種の養殖生物の養殖に使用できる。養殖生物の種類は問わない。
【符号の説明】
【００１７】
１０・・・養殖水槽
１０ａ・・・下層
１０ｂ・・・上層
１１・・・穴
１２・・・回収溝
１３・・・傾斜
１４・・・排水口
１５・・・給水口
１６・・・保持溝
１７・・・通路
１８・・・バキューム
２０・・・水槽壁
２１・・・上端
２２・・・底部
２３・・・水面
３０・・・断熱隔壁
【図１】
2018085945.tif 000003